(57)【特許請求の範囲】
【請求項１】
平面視で長方形の隅部に当たる左右前後に手袋の手首側開口部を係止する掛止爪を備え、前記各係止爪は揺動可能な支持ロッドで垂設されており、前記支持ロッドの揺動に従って、各掛止爪は同時に前記長方形の隅部の内角二等分線の延長線上を揺動可能に、互いの掛止爪を所望の間隔に位置決めする構成において、
前記各支持ロッドの中間部を軸支した下部と、前記長方形の対角線の交点直下に位置する昇降部材とを連係する連結ロッドが夫々軸着されており、前記各連結ロッドは前記長方形の隅部の内角二等分線と平行に配置されていることを特徴とするゴム手袋装着具。
【発明の詳細な説明】
【技術分野】
【０００１】
本発明は、手術に際して医療現場や食品製造過程において着用するゴム手袋をはじめ各種のゴム手袋を、他人の手を借りずに装着することを可能とするゴム手袋装着具に関する。
【背景技術】
【０００２】
例えば、手術に際し医師等が着用する医療用のゴム手袋や、食品製造において衛生状態を確保するために製造作業者にはゴム手袋の装着が励行されている。
そして、斯かるゴム手袋は薄肉で密着性に富んだ材質となっている。
【０００３】
このような密着性に富んだ薄手のゴム手袋を指先まで隙間なく装着することは困難を伴い、簡単に行えない作業であり、また、衛生面における管理を必要とし、装着時の破れを防止する上で細心の注意が必要であり、医療現場では看護師などの手を借りてゴム手袋の装着作業が行われる場合もある。
【先行技術文献】
【特許文献】
【０００４】
【特許文献１】特開平６−２８５０８３号公報
【発明の概要】
【発明が解決しようとする課題】
【０００５】
上記特開平６−２８５０８３号公報は、他人の手を借りることなく容易かつ迅速にゴム手袋を装着でき、ピンホールなどの損傷を使用前にチェックすることのできるゴム手袋自動装着装置の提供を目的としたもので、内部に吸引室を有する装置本体と、前記吸引室内の空気を吸引する吸引手段と、前記吸引室と前記装置本体の外部とを連通するとともに、被装着物であるゴム手袋の表面を前記吸引室側に、同じく裏面を外気に触れる状態で、かつ当該ゴム手袋によって吸引室と外気とを仕切るようにして当該ゴム手袋の基端部を支持するゴム手袋支持手段と、前記吸引室内を外気に開放する手段を備えた構成が開示されている。
【０００６】
上記先行技術文献では、ゴム手袋のピンホールまでを検査可能とした装置を目的とし、主に医療用に使用するゴム手袋の装着を前提としたものである。
したがって、より高度な安全性を重視し、多少の経費嵩は容認せざるを得ないものである。
【０００７】
そこで、本発明は特定分野の用途に偏らず、広範囲の分野で利用可能である、簡易で低廉に提供できるゴム手袋の装着具を提供することを目的とする。
【課題を解決するための手段】
【０００８】
本発明に係るゴム手袋装着具の発明は、平面視で長方形の隅部に当たる左右前後に手袋の手首側開口部を係止する掛止爪を備え、前記各係止爪は揺動可能な支持ロッドで垂設されており、前記支持ロッドの揺動に従って、各掛止爪は同時に前記長方形の隅部の内角二等分線の延長線上を揺動可能に、互いの掛止爪を所望の間隔に位置決めする構成において、前記各支持ロッドの中間部を軸支した下部と、前記長方形の対角線の交点直下に位置する昇降部材とを連係する連結ロッドが夫々軸着されており、前記各連結ロッドは前記長方形の隅部の内角二等分線と平行に配置されていることを特徴とするものである。
【発明の効果】
【００１１】
本発明は、各掛止爪は左右前後に、平面視で長方形の隅部に位置して垂設した四本の掛止爪に、伸縮性を有するゴム手袋の手首側開口部を開いて引っ掛けて掛止した状態で、各掛止爪を前記長方形の隅部の内角二等分線の延長線上へ同時に開くことにより、ゴム手袋の手首側開口部がより相似形に大きく開口するため、装着する手指を容易に挿入することができる効果を発揮するものである。
【００１２】
また、各掛止爪を垂設した各支持ロッドは揺動可能とし、掛止爪が前記長方形の隅部の内角二等分線の延長線上を揺動させることで、各掛止爪を所望の間隔に位置決めできる効果を有する。
【００１３】
そして、各支持ロッドは中間部を軸支し、前記支持ロッドの下部と、前記長方形の対角線の交点直下に位置する昇降部材とを連結ロッドで夫々軸着して連係し、前記連結ロッドは前記長方形の隅部の内角二等分線と平行に配置することで、簡単な機構で目的を達成できる効果を有する。
【図面の簡単な説明】
【００１４】
【図１】本発明の一実施例であるゴム手袋装着具の正面図である。
【図２】図１におけるゴム手袋装着具の平面図である。
【図３】（ａ）は、図１のＩ−Ｉ線における断面図であり、（ｂ）は、図１のＩＩ−ＩＩ線における断面図である。
【図４】各掛止爪を開いた状態を示すゴム手袋装着具の正面図である。
【図５】図４におけるゴム手袋装着具の平面図である。
【図６】ゴム手袋装着具の側面図である。
【発明を実施するための形態】
【００１５】
本発明の一実施の形態を図面に基づいて説明する。
図１は、本発明の一実施例であるゴム手袋装着具１の正面図であり、図２は、図１におけるゴム手袋装着具１の平面図であり、図３（ａ）は、図１のＩ−Ｉ線における断面図であり、図３（ｂ）は、図１のＩＩ−ＩＩ線における断面図であり、図４は、ゴム手袋装着具１の各掛止爪２を開いた状態を示す正面図であり、図５は、図４におけるゴム手袋装着具１の平面図であり、図６は、各掛止爪２を開いた状態を一点鎖線で示めすゴム手袋装着具１の側面図である。
図面では片方のゴム手袋を装着できる構成の装着具と成っているけれど、同一の構成を並設すれば、一時に両方の手にゴム手袋を装着することができる。
【００１６】
本発明のゴム手袋装着具１は、ゴム手袋１０の手首側開口部を掛止する四本の掛止爪２、２、２、２を備え、各掛止爪２は左右前後に、平面視で各掛止爪２を結んで形成される仮想の長方形Ａの隅部に位置して垂設され、各掛止爪２は前記長方形Ａの隅部の内角二等分線の延長線上を同時に開いて、互いの掛止爪２、２、２、２を所望の間隔に位置決めできるようにしたものである。
【００１７】
各掛止爪２は各支持ロッド３の上部に横設した腕片３１に垂設してあり、各支持ロッド３は前記長方形Ａの隅部の内角二等分線の延長線上に立設して位置し、各腕片３１も前記延長線上と平行に配置されている。
また、ゴム装着具１の枠台４の上面４１には軸受４２、４２、４２、４２が配設され、挿着した各軸により回転自在に前記各支持ロッド３の中間部を前記長方形Ａの隅部の内角二等分線の延長線上を揺動すべく軸支３２している。
【００１８】
さらに、中間部を軸支３２した各支持ロッド３の下部と、前記長方形Ａの対角線の交点直下に位置する昇降部材５とを各連結ロッド６で夫々軸着３３、５１して連係し、前記各連結ロッド６は前記長方形Ａの隅部の内角二等分線と平行に配置されている。
【００１９】
したがって、昇降部材５の下降によって、従動する各連結ロッド６の前記長方形の対角線の交点直下に、各支持ロッド３の下部が引き寄せられるため、中間部を軸支３２された各支持ロッド３の上部は前記長方形Ａの隅部の内角二等分線の延長線上を揺動し、横設した腕片３１に垂設した各掛止爪２は前記長方形Ａの隅部の内角二等分線の延長線上を同時に開いて、掛止しているゴム手袋１０の手首側開口部をより相似形に大きく開くものである。
【００２０】
よって、大きく開いたゴム手袋１０の手首側開口部に容易に手指を挿入して装着することができ、そのままゴム手袋を装着した手を押し下げれば掛止爪２、２、２、２の掛止から離脱させることができる。
【００２１】
昇降部材５は前記長方形Ａの隅部の内角二等分線と平行な側面を有する取付部５２と、この取付部５２に垂下した昇降ロッド５３より成り、取付部５２の各面に平行に配置すべく各連結ロッド６が軸着５１されている。
また、垂下した昇降ロッド５３は、前記枠台４に渡設した上ガイドロッド４３、４３とガイド片４４、及び下ガイドロッド４５、４５とガイド片４６により垂直方向に昇降すべく規制されている。
【００２２】
さらに、昇降ロッド５３には、上ガイドロッド４３、４３と前記取付部５２間に圧縮コイルバネ７が緩捲して介装してあり、平常時は連係する各連結ロッド６は水平位置より上がらないように、また、各支持ロッド３を垂直状態に維持するように昇降部材５を支承して位置調整がされている。
【００２３】
そして、前記枠台４に渡設した上ガイドロッド４３、４３と下ガイドロッド４５、４５の間に操作ペダル８が基部を後方位置において枠台４に渡設した軸４７に軸支８１してあり、操作ペダル８の中間部に設けた作動ピン８２が前記昇降ロッド５３に突設した係合片５４に載接して係合している。
【００２４】
したがって、操作ペダル８を押し下げると、作動ピン８２が昇降ロッド５３の係合片５４を押圧して、圧縮コイルバネ７に抗して下降させ、昇降部材５が下降するため、連係する各掛止爪２が前記長方形Ａの隅部の内角二等分線の延長線上を同時に開いて、掛止しているゴム手袋１０の手首側開口部をより大きく開くことができるのである。
操作ペダル８への押圧がなくなれば、圧縮コイルバネ７の復元力で平常時の状態に戻ることになる。
【００２５】
昇降ロッド５３に突設した係合片５４は操作ペダル８の中間部に設けた作動ピン８２を載置して、操作ペダル８の下方への回動圧を受けているため、前記圧縮コイルバネ７は、当該操作ペダル８の重量を含めて前記調整（段落番号００２２）ができるように選択し設計される。
【００２６】
以上のように、本発明を図面に基づいて説明した実施の形態における具体的構成は一例であり、同様の作用効果を得られる他の構成又は手段を排除するものではない。
【符号の説明】
【００２７】
１          ゴム手袋装着具
２          掛止爪
３          支持ロッド
４          枠台
５          昇降部材
６          連結ロッド
７          圧縮コイルバネ
８          操作ペダル
１０        ゴム手袋
３１        腕片
３２、８１  軸支
３３，５１  軸着
４１        上面
４２        軸受
４３        上ガイドロッド
４４、４６  ガイド片
４５        下ガイドロッド
４７        軸
５２        取付部
５３        昇降ロッド
５４        係合片
８２        作動ピン
【図１】
0005893688.tif 000002
【図２】
0005893688.tif 000003
【図３】
0005893688.tif 000004
【図４】
0005893688.tif 000005
【図５】
0005893688.tif 000006
【図６】
0005893688.tif 000007